(57)【要約】【目的】  本発明の目的はユーザーが発光ダイオード素子の発光を変化させることができるコースターを【構成】  コースターは、表面１１０の中央部に孔部１１２が開設された筐体１００と、この筐体１００の孔部１１２から外部に向けてカラー光を照射するＲＧＢの発光ダイオード素子２００と、発光ダイオード素子２００の照射光を設定するためのスイッチ手段３００と、発光ダイオード素子２００の駆動電流を所定のパターンで各々変化させる制御手段４００とを具備し、制御手段４００はスイッチ手段３００の出力信号に応じて発光ダイオード素子２００の駆動電流を各々その時点で維持するようになっている。【選択図】      図１
2005095425.tif 000002
【特許請求の範囲】
【請求項１】
筐体の表面に開設された孔部から外部に向けてカラー光を照射するＲＧＢの発光ダイオード素子を有するコースターにおいて、前記発光ダイオード素子の駆動電流を所定のパターンで各々変化させる制御手段と、照射光の色を設定するためのスイッチ手段とを具備しており、この制御手段は前記スイッチ手段の出力信号に応じて前記発光ダイオード素子の駆動電流を各々その時点で維持するようになっていることを特徴とするコースター。
【請求項２】
請求項１記載のコースターにおいて、前記孔部は筐体の表面の中央部に開設されていることを特徴とするコースター。
【請求項３】
請求項１記載のコースターにおいて、筐体の表面上の孔部を除く箇所の少なくとも一部には滑り止め用マットが取り付けられていることを特徴とするコースター。
【請求項４】
請求項１記載のコースターにおいて、電池駆動型であることを特徴とするコースター。
【請求項５】
請求項１記載のコースターにおいて、前記スイッチ手段はタッチスイッチであることを特徴とするコースター。
【請求項６】
請求項５記載のコースターにおいて、前記スイッチ手段は電源スイッチを兼ねることを特徴とするコースター。
【発明の詳細な説明】
【技術分野】
【０００１】
本発明は載置された飲料用グラスに向けて所定の光を照射する発光ダイオード素子を有するコースターに関する。
【背景技術】
【０００２】
この種のコースターとしては、筐体の周縁部を発光させるようにしたもの( 特許文献１参照) と、筐体の中央部を発光させるようにしたもの( 特許文献２及び３参照) とがある。このうち、特許文献２に記載されたコースターは発光ダイオード素子の光を所定時間毎に変化させる機能を有している。
【０００３】
【特許文献１】特開２０００−２０１７９３号公報
【特許文献２】特開２００２−１９９７８号公報
【特許文献３】特開平０８−８４６５１号公報
【発明の開示】
【発明が解決しようとする課題】
【０００４】
ところが、特許文献２に記載されたコースターは、発光ダイオード素子の光が所定時間毎に自動的に変化するようになっている。言い換えると、ユーザーは発光ダイオード素子の照射光の色を設定することができず、好みの色を点灯し続けたり、その場の雰囲気に合わせて色を選択するということができなかった。
【０００５】
本発明は、上記事情に鑑みて創案されたものであって、その目的とするところは、ユーザーが発光ダイオード素子の照射光の色を設定することができるコースターを提供することにある。
【課題を解決するための手段】
【０００６】
上記課題を解決するために、本発明のコースターは、筐体の表面に開設された孔部から外部に向けてカラー光を照射するＲＧＢの発光ダイオード素子を有するコースターであって、前記発光ダイオード素子の駆動電流を所定のパターンで各々変化させる制御手段と、照射光の色を設定するためのスイッチ手段とを具備しており、この制御手段は前記スイッチ手段の出力信号に応じて前記発光ダイオード素子の駆動電流を各々その状態で維持するようになっている。
【０００７】
前記孔部は筐体の表面の中央部に開設されており、当該筐体の表面上の孔部を除く箇所の少なくとも一部には滑り止め用マットを取り付けられている。
【０００８】
このコースターは電池駆動型であって、前記スイッチ手段にタッチスイッチを用い、電源スイッチを兼ねるように構成されている。
【発明の効果】
【０００９】
本発明の請求項１に係るコースターによる場合、ユーザーがスイッチ手段を通じて照射光の色を設定することができるので、ユーザーは好みの色を点灯し続けたり、その場の雰囲気に合わせた演出をしたりすることが可能になる。
【００１０】
本発明の請求項２に係るコースターによる場合、筐体の中央部に配設された発光ダイオード素子の光が、当該筐体に載置された飲料用グラスの略中心部に向けて照射されるので、当該飲料用グラスを美しく輝かせることができる。
【００１１】
本発明の請求項３に係るコースターによる場合、筐体の表面上の孔部を除く箇所の少なくとも一部には滑り止め用マットが取り付けられているので、飲料用グラスから滴り、コースターと同グラスとの間に溜まった水により同グラスが滑るというようなことがない。
【００１２】
本発明の請求項４に係るコースターによる場合、筐体の底面側から電池の交換をすることができるので、便利である。
【００１３】
本発明の請求項５に係るコースターによる場合、スイッチ手段にタッチスイッチを用いているので、ユーザーは同タッチスイッチに軽く触れるだけで照射光の色を設定することができる。
【００１４】
本発明の請求項６に係るコースターによる場合、スイッチ手段が電源スイッチを兼ねるので、低コスト化を図る上でメリットがある。
【発明を実施するための最良の形態】
【００１５】
以下、本発明の実施の形態に係るコースターについて図面を参照しながら説明する。図１は本発明の実施の形態に係るコースターの分解斜視図、図２は同コースターの回路図、図３は同コースターの使用状態を示す模式的断面図である。
【００１６】
図１に示すコースターは、表面１１０の中央部に孔部１１２が開設された筐体１００と、この筐体１００の孔部１１２から外部に向けてカラー光を照射するＲＧＢの発光ダイオード素子２００と、発光ダイオード素子２００の照射光を設定するためのスイッチ手段３００と、発光ダイオード素子２００の駆動電流を所定のパターンで各々変化させて発光ダイオード素子２００の点灯をコントロールする制御手段４００とを具備している。以下、各部を詳しく説明する。
【００１７】
発光ダイオード素子２００は、図２に示すように、Ｒ( Ｒｅｄ）用ＬＥＤ２１０と、Ｇ( Ｇｅｅｎ）用ＬＥＤ２２０と、Ｂ( Ｂｕｌｅ）用ＬＥＤ２３０を有している。
【００１８】
筐体１００は、ＡＢＳ樹脂で成形された底部開口１２０の筒状の成形品であって、その表面１１０には後述する滑り止めマット６００を取り付けるための略円形の凹部１１１が形成されている。この凹部１１１の中央部に孔部１１２が開設されているのである。この孔部１１２には透明のアクリル板５００が取り付けられる。発光ダイオード素子２００から発せられた光はアクリル板５００を通じて筐体１００上に載置された飲料用グラスＸ（図３参照）に向けて照射される。その結果、飲料用グラスＸが輝くことになる。なお、アクリル板５００は筐体１００の内部にゴミ等が入らないようにする役割も果たしている。
【００１９】
また、筐体１００は底部開口１２０を閉塞する底板１３０を有している。この底部開口１２０から発光ダイオード素子２００が実装された基板( 図示しない) が筐体１００内に挿入され、設置される。なお、この底板１３０を取り外すことで基板に設けられた電源部に収容される電池の交換が可能になっている。
【００２０】
滑り止めマット６００は接着剤等で凹部１１１に接着される。滑り止めマット６００は孔部１１２に対向する部分が透明にされる一方、その他の部分のグラス載置面はデザインを表すための場となっている。このグラス載置面には、例えば、１〜２色の印刷加工を施す。この滑り止めマット６００を取り付けることにより、飲料用グラスＸ( 図３参照) が滴る水滴などで滑るというようなことがなくなるし、表されたデザインを楽しむこともできる。
【００２１】
スイッチ手段３００は、筐体１００の上面１１０の端部に設けられる人体抵抗を利用したタッチ式のスイッチであり、電源スイッチを兼ねるものである。このスイッチ手段３００はユーザーの指が接触したか否かを出力信号として出力するようになっている。
【００２２】
制御手段４００として、ここでは１チップマイコンを用いている。Ｒ用ＬＥＤ２１０、Ｇ用ＬＥＤ２２０及びＢ用ＬＥＤ２３０のアノードが図外の電流制限用抵抗を介して電源回路に接続されている一方、カソードがワンチップマイコンのＩ／Ｏポートに各々接続されている。また、別のＩ／Ｏポートにはスイッチ手段３００が接続されている。
【００２３】
１チップマイコンのメモリには、Ｒ用ＬＥＤ２１０等の各駆動電流の大きさの変化パターンのデータが複数記憶されている。ここではＲ用ＬＥＤ２１０等の発光強度のコントロールをＤｕｔｙ制御により行っていることから、１サイクル（ここでは０．５ｍＳ）期間においてＲ用ＬＥＤ２１０等をオンさせるオン期間とオフさせるオフ期間との比率であるＤｕｔｙ比の変化パターンのデータがメモリに記憶されている。即ち、メモリ上のＤｕｔｙ比の変化パターンのデータを順次読み出し、このデータに応じてＲ用ＬＥＤ２１０等をオンオフさせ、これによりＲ用ＬＥＤ２１０等の駆動電流の大きさを各々コントロールするようになっている。Ｒ用ＬＥＤ２１０等を点灯させる発光パターンはスイッチ手段３００の出力信号に基づいて設定される。ここではユーザーの指がスイッチ手段３００に接触する度に発光パターン１、２、３、消灯がこの順番で設定される。
【００２４】
発光パターン１が設定されたときには、発光ダイオード素子２００が点灯して発光色が赤、緑、青へと順次滑らかに繰り返し変化する。次の発光パターン２が設定されたときには、発光ダイオード素子２００の発光色が約２．４秒間隔で赤、緑、青へと順次繰り返し切り換わる。次の発光パターン３が設定されたときには、発光パターン２から切り替わった時点での発光ダイオード素子２００の発光色及び発光強度が維持される。次の消灯が設定されたときには、発光ダイオード素子２００の点灯が停止する。
【００２５】
即ち、発光パターン１においては、発光ダイオード素子２００をオフからオンに切り換え、その駆動電流の大きさを順次変化させ、発光パターン２においては、発光ダイオード素子２００の駆動電流の変化パターンを変更し、発光パターン３においては、発光ダイオード素子２００の駆動電流を一定にし、消灯のときには、発光ダイオード素子２００をオンからオフに切り換えるようになっている。
【００２６】
なお、発光ダイオード素子２００の点灯が６０分以上になった場合、Ｒ用ＬＥＤ２１０、Ｇ用ＬＥＤ２２０、Ｂ用ＬＥＤ２３０をこの順に約５秒間点滅させた後、発光ダイオード素子２００を自動的に消灯に切り換えるようになっている。ユーザの消し忘れを防止するためである。この場合、消灯直前の発光パターンの設定を１チップマイコン内のレジスタに退避させ、点灯を再開するときには、当該設定の発光パターンにより発光ダイオード素子２００を点灯させるようになっている。また、ユーザーの指がスイッチ手段３００に接触する度に、Ｒ用ＬＥＤ２１０、Ｇ用ＬＥＤ２２０、Ｂ用ＬＥＤ２３０をこの順に２回点滅させるようになっている。設定の切り換えが行われたことをユーザに知らせるためである。
【００２７】
このように構成されたコースターによる場合、ユーザーがスイッチ手段３００に触れることにより、発光ダイオード素子２００好みの色を設定することができる。従って、ユーザーは好みの色を点灯し続けたり、その場の雰囲気等に合わせた演出をしたりすることが可能になる。
【００２８】
このコースターについては、筐体の表面に開設された孔部から外部に向けてカラー光を照射するＲＧＢの発光ダイオード素子を有するコースターであって、前記発光ダイオード素子の駆動電流を所定のパターンで各々変化させる制御手段と、照射光の色を設定するためのスイッチ手段とを具備しており、この制御手段は前記スイッチ手段の出力信号に応じて前記発光ダイオード素子の駆動電流を各々その状態で維持するようになっている限りどのような設計変更を行ってもかまわない。
【００２９】
従って、筐体１００については、ＡＢＳ樹脂製の底部開口１２０の円筒状であるとしたが、これに限定されることはなく、例えば金属で作成された角筒状等であっても良い。また、周縁部に孔部１１２を設け、当該周縁部に発光ダイオード素子２００備えるようにしても良い。滑り止めマット６００を取り付けることは任意であるので、この場合、筐体１００には凹部１１１を設けなくても良い。発光ダイオード素子２００については、ＲＧＢの３原色が揃っていることが望ましいが、少なくても２色を備えていれば良い。制御手段４００については、上記機能を実現できる限りどのような手段を用いてもかまわない。
【００３０】
なお、制御手段４００に設定された発光パターン１及び２は、例示的に説明したものであり、これに限定されないことは言うまでもなく、発光時間等は任意に設定可能である。
【図面の簡単な説明】
【００３１】
【図１】本発明の実施の形態に係るコースターの分解斜視図である。
【図２】同コースターの回路図である。
【図３】同コースターの使用状態を示す模式的断面図である。
【符号の説明】
【００３２】
１００  筐体
１１２  孔部
２００  発光ダイオード素子
３００  スイッチ手段
４００  制御手段
【図１】
2005095425.tif 000003
【図２】
2005095425.tif 000004
【図３】
2005095425.tif 000005